(57)【要約】      （修正有）【課題】車椅子利用者に対する安全性を確保しつつ、一般利用者における快適性を向上させることができ、かつ、当該エレベーターの運転効率を向上させることができるエレベーターの制御装置を提供する。【解決手段】エレベーターの制御装置において、乗場呼びを登録する一般用乗場呼びボタン９ａ、９ｂ及び車椅子用乗場呼びボタン１０ａ、１０ｂと、かご行先呼びを登録する一般用かご内行先ボタン及び車椅子用かご内行先ボタンと、車椅子用かご内行先ボタンが操作された場合であって、車椅子用乗場呼びボタン１０ａ、１０ｂが操作されていないときは、かご行先呼び登録階の戸開継続時間を所定の第１の戸開継続時間に設定し、車椅子用乗場呼びボタンが操作されているときは、第１の戸開継続時間より長い所定の第２の戸開継続時間に設定する制御手段（制御盤１２）と、を備える。【選択図】図１
2010269875.tif 000002
【特許請求の範囲】
【請求項１】
エレベーターの乗場に設けられ、操作することにより乗場呼びを登録する一般用乗場呼びボタン及び車椅子用乗場呼びボタンと、
乗りかご内に設けられ、操作することによりかご行先呼びを登録する一般用かご内行先ボタン及び車椅子用かご内行先ボタンと、
前記車椅子用かご内行先ボタンが操作された場合であって、前記車椅子用乗場呼びボタンが操作されていないときは、前記車椅子用かご内行先ボタンの当該操作によるかご行先呼び登録階に到着した際の戸開継続時間を所定の第１の戸開継続時間に設定し、前記車椅子用乗場呼びボタンが操作されているときは、前記かご行先呼び登録階に到着した際の戸開継続時間を前記第１の戸開継続時間より長い所定の第２の戸開継続時間に設定する制御手段と、を備えたことを特徴とするエレベーターの制御装置。
【請求項２】
前記制御手段は、前記車椅子用かご内行先ボタンが操作され、かつ、前記車椅子用乗場呼びボタンが操作されていない場合であって、前記車椅子用かご内行先ボタンの当該操作が所定の操作であるときは、前記かご行先呼び登録階に到着した際の戸開継続時間を前記第２の戸開継続時間に設定することを特徴とする請求項１に記載のエレベーターの制御装置。
【請求項３】
前記所定の操作は、前記かご行先呼び登録階に到着した際の戸開継続時間が既に前記第１の戸開継続時間に設定済みであるときに前記車椅子用かご内行先ボタンを操作することであることを特徴とする請求項２に記載のエレベーターの制御装置。
【請求項４】
前記かご行先呼び登録階に到着した際の戸開継続時間が前記第２の戸開継続時間に設定されていることを利用者に報知する車椅子呼び応答報知手段を備えたことを特徴とする請求項３に記載のエレベーターの制御装置。
【請求項５】
前記車椅子呼び応答報知手段は、車椅子用かご内行先ボタンの近傍に車椅子用かご内行先ボタンのそれぞれに対応して設けられた車椅子呼び応答灯であることを特徴とする請求項４に記載のエレベーターの制御装置。
【請求項６】
前記乗りかご内の負荷を検出するかご負荷検出手段を備え、
前記制御手段は、前記車椅子用かご内行先ボタンが操作され、かつ、前記かご行先呼び登録階に到着した際の戸開継続時間が前記第２の戸開継続時間に設定されていない場合であって、前記かご負荷検出手段により検出された前記乗りかご内の負荷に基づいて前記乗りかご内が混雑していると判断されるときは、前記かご行先呼び登録階に到着した際の戸開継続時間を前記第１の戸開継続時間より長い所定の第３の戸開継続時間に設定することを特徴とする請求項１から請求項５のいずれかに記載のエレベーターの制御装置。
【発明の詳細な説明】
【技術分野】
【０００１】
この発明は、エレベーターの制御装置に関するものである。
【背景技術】
【０００２】
エレベーターはビル等の建物内を移動する上での必要不可欠な輸送装置であって、その利用者は、子供や大人又は健常者や車椅子利用者を含む身障者（以下、車椅子利用者を含む身障者を単に「車椅子利用者」という）等の多岐に亘る。従って、このような幅広い利用者に対して安全性や快適性を十分に考慮したエレベーターが望まれている。
【０００３】
このような状況において、エレベーターの利用者が車椅子利用者である場合には、乗降時の安全性を考慮して戸開継続時間（戸の全開状態を継続する時間）を長くしたいという要求がある一方で、車椅子利用者でない健常者である一般の利用者（以下「一般利用者」という）においては、目的階への移動時間が短い方が快適であると感じるため、戸開継続時間を短くしたいという要求がある。
【０００４】
戸開継続時間について相反するこれらの要求に応えるため、従来のエレベーターの制御装置においては、乗場の壁面に設けられる乗場操作盤及び乗りかご内に設けられるかご内操作盤を、それぞれ、一般利用者向けの一般用乗場操作盤及び一般用かご内操作盤、並びに、一般用とは異なる位置に取付けられた車椅子利用者向けの車椅子用乗場操作盤及びかご内操作盤の２つずつ備え、これらの操作盤のうちどの操作盤が操作されたかによって、操作者であるエレベーターの乗客が一般利用者であるのか車椅子利用者であるのかを判定し、この判定結果に基づいて戸開継続時間を変化させるものが知られている。
【０００５】
例えば、特許文献１には、このような一般用及び車椅子用の乗場操作盤及びかご内操作盤を備え、車椅子用かご内操作盤の操作により行先呼び登録がされた場合に戸開継続時間を一般用かご内操作盤の操作時よりも長くするエレベーターにおいて、一般利用者が車椅子用かご内操作盤を誤って操作したとき等の運転効率低下を防ぐものとして、車椅子用乗場操作盤及び車椅子用かご内操作盤の両方が操作された場合に、戸開継続時間を長くするエレベーターの制御装置が記載されている。
【０００６】
このような従来のエレベーターの制御装置においては、エレベーターの乗客が一般利用者であるか車椅子利用者であるかの判定を、取付位置の異なる２種類の操作盤のいずれか操作されたかということを元に行っているため、これらの操作盤の取付位置が重要な意味を持っていることになる。
【０００７】
ここで、乗場操作盤については、乗場壁面の、立った状態の一般利用者が操作し易い高さに一般用乗場操作盤が、同じく乗場壁面の、車椅子に乗った（座った）状態の車椅子利用者が操作し易い高さに車椅子用乗場操作盤が設けられるのが一般的であり、かご内操作盤については、乗りかご内の出入口側方に配置された袖壁の、立った状態の一般利用者が操作し易い高さに一般用かご内操作盤が、乗りかご内の側壁の、車椅子に乗った状態の車椅子利用者が操作し易い高さに車椅子用かご内操作盤が設けられるのが一般的である。
そして、一般利用者は立った状態で操作し易い高さにある操作盤を、車椅子利用者は車椅子に乗った状態で操作し易い高さにある操作盤を、それぞれ操作するであろうということが従来のエレベーターの制御装置における乗客種別判定の前提となっている。
【先行技術文献】
【特許文献】
【０００８】
【特許文献１】特開平０６−０５６３５８号公報
【発明の概要】
【発明が解決しようとする課題】
【０００９】
しかしながら、一般利用者が車椅子用の操作盤を操作することはよくあることであって、例えば、かご内操作盤については、乗客が乗りかごに乗り込む際に振向くことなくボタンを操作できる（乗り込むという動作をしながらボタンを操作できる）という理由により、一般利用者により車椅子用かご内操作盤が操作されることがある。また、乗りかご内が混雑している場合に偶然操作し易い位置にあった、あるいは、人ごみに押されて誤って操作してしまったという理由により、やはり、一般利用者により車椅子用かご内操作盤が操作されることがある。
そして、乗場操作盤については、乗場壁面の適当な高さの上下にそれぞれある操作盤を操作者が区別することなく操作してしまうことが多い。
【００１０】
以上のように、操作盤の操作者であるエレベーターの乗客が一般利用者であっても、車椅子利用者が操作することを想定して取付けた、車椅子用の操作盤を操作してしまうことがあり、この結果として、一般利用者である乗客を乗せた乗りかごが目的階に到着したときに車椅子利用者に対応した戸開継続時間による戸開制御となる。
【００１１】
従って、この場合、乗りかご内に車椅子利用者が不在であるにもかかわらず戸開継続時間が延長されて通常時より長くなるため、次の目的階への到着が遅くなってしまうという課題がある。
そして、このような本来必要のない戸開継続時間の延長が発生すると、総合的にみてエレベーターの輸送効率が低下してしまうという課題があり、乗客にとっては苛立ち等の心理面での課題（快適性が損なわれるという課題）が発生することになる。
【００１２】
また、特許文献１に記載された従来のエレベーターの制御装置においては、車椅子用乗場操作盤が操作されない限り、車椅子用かご内操作盤を一般利用者が操作しても行先呼び登録がなされることがないため、一般利用者が前述した乗りかごに乗り込む際や混雑時において、行先呼び登録を行うために意図的に車椅子用かご内操作盤を操作しても行先呼び登録がなされず、操作者が呼び未登録であることに気付かずに、また、気付くのに時間がかかり、運転効率や快適性を損ねてしまうこととなる可能性があるという課題がある。
【００１３】
この発明は、このような課題を解決するためになされたもので、一般利用者向け及び車椅子利用者向けの操作盤を備えたエレベーターにおいて、車椅子利用者に対する安全性を確保しつつ、一般利用者における快適性を向上させることができ、かつ、当該エレベーターの運転効率を向上させることができるエレベーターの制御装置を得るものである。
【課題を解決するための手段】
【００１４】
この発明に係るエレベーターの制御装置においては、エレベーターの乗場に設けられ、操作することにより乗場呼びを登録する一般用乗場呼びボタン及び車椅子用乗場呼びボタンと、乗りかご内に設けられ、操作することによりかご行先呼びを登録する一般用かご内行先ボタン及び車椅子用かご内行先ボタンと、前記車椅子用かご内行先ボタンが操作された場合であって、前記車椅子用乗場呼びボタンが操作されていないときは、前記車椅子用かご内行先ボタンの当該操作によるかご行先呼び登録階に到着した際の戸開継続時間を所定の第１の戸開継続時間に設定し、前記車椅子用乗場呼びボタンが操作されているときは、前記かご行先呼び登録階に到着した際の戸開継続時間を前記第１の戸開継続時間より長い所定の第２の戸開継続時間に設定する制御手段と、を備えた構成とする。
【発明の効果】
【００１５】
この発明に係るエレベーターの制御装置においては、一般利用者向け及び車椅子利用者向けの操作盤を備えたエレベーターにおいて、車椅子利用者に対する安全性を確保しつつ、一般利用者における快適性を向上させることができ、かつ、当該エレベーターの運転効率を向上させることができるという効果を奏する。
【図面の簡単な説明】
【００１６】
【図１】この発明の実施の形態１に係るエレベーターの制御装置の全体構成を示す図である。
【図２】この発明の実施の形態１に係るエレベーターの乗りかごの平面断面図である。
【図３】この発明の実施の形態１に係る一般用かご内操作盤の正面図である。
【図４】この発明の実施の形態１に係る車椅子用かご内操作盤の正面図である。
【図５】この発明の実施の形態１に係るエレベーターの制御装置の動作を示すフロー図である。
【図６】この発明の実施の形態２に係るエレベーターの制御装置の動作を示すフロー図である。
【図７】この発明の実施の形態３に係る車椅子用かご内操作盤の正面図である。
【図８】この発明の実施の形態３に係るエレベーターの制御装置の動作を示すフロー図である。
【図９】この発明の実施の形態４に係るエレベーターの制御装置の動作を示すフロー図である。
【発明を実施するための形態】
【００１７】
この発明を添付の図面に従い説明する。各図を通じて同符号は同一部分又は相当部分を示しており、その重複説明は適宜に簡略化又は省略する。
【００１８】
実施の形態１．
図１から図５は、この発明の実施の形態１に係るもので、図１はエレベーターの制御装置の全体構成を示す図、図２はエレベーターの乗りかごの平面断面図、図３は一般用かご内操作盤の正面図、図４は車椅子用かご内操作盤の正面図、図５はエレベーターの制御装置の動作を示すフロー図である。
【００１９】
図において１は、エレベーターの昇降路内で乗客を乗せて昇降する乗りかご、２は、昇降路内に昇降自在に配置された釣合い重りである。
乗りかご１の上端と釣合い重り２の上端とは、それぞれ主ロープ３の両端に接続されて連結されており、この主ロープ３の中間部が乗りかご１及び釣合い重り２の昇降を駆動する巻上機４の駆動シーブに巻き掛けられることにより、乗りかご１及び釣合い重り２は昇降路内につるべ状に吊持されている。
【００２０】
乗りかご１の正面には、乗客がかご内から出入りするためのかご出入口及びこのかご出入口を開閉するかご戸５が設けられており、乗りかご１内のかご出入口の両側方には袖壁が設けられている。
そして、この袖壁の、立った状態の一般利用者が操作し易い位置（高さ）には、一般用かご内操作盤６が設置されている。
この一般用かご内操作盤６には、乗りかご１の停止する各階床に対応して設けられ、押下することにより対応する階床を目的階とする行先呼びを登録するための一般用かご内行先ボタン６ａ、並びに、押下することによりかご戸５を戸開するための一般用戸開ボタン６ｂ及び押下することによりかご戸５を戸閉するための一般用戸閉ボタン６ｃが取付けられている。
【００２１】
また、乗りかご１内の側壁の、車椅子に乗った状態の車椅子利用者が操作し易い位置（高さ）には、車椅子用かご内操作盤７が取付けられている。
そして、この車椅子用かご内操作盤７にも、一般用かご内操作盤６と同様、乗りかご１の停止する各階床に対応して設けられ、押下することにより対応する階床を目的階とする行先呼びを登録するための車椅子用かご内行先ボタン７ａ、並びに、押下することによりかご戸５を戸開するための車椅子用戸開ボタン７ｂ及び押下することによりかご戸５を戸閉するための車椅子用戸閉ボタン７ｃが取付けられている。
【００２２】
乗りかご１が停止する階床の乗場８の壁面には、立った状態の一般利用者が操作し易い位置（高さ）に配置された一般用乗場操作盤９が設置されている。
この一般用乗場操作盤９には、押下することにより上方向の乗場呼びを登録するための一般用上方向乗場呼びボタン９ａ、及び、押下することにより下方向の乗場呼びを登録するための一般用下方向乗場呼びボタン９ｂが取付けられている。
【００２３】
また、同様に、乗りかご１が停止する階床の乗場８の壁面には、車椅子に乗った状態の車椅子利用者が操作し易い位置（高さ）に配置された車椅子用乗場操作盤１０が取付けられており、この車椅子用乗場操作盤１０には、押下することにより上方向の乗場呼びを登録するための車椅子用上方向乗場呼びボタン１０ａ、及び、押下することにより下方向の乗場呼びを登録するための車椅子用下方向乗場呼びボタン１０ｂが取付けられている。
【００２４】
そして、車椅子用かご内操作盤７及び車椅子用乗場操作盤１０又はこれらの操作盤の近傍には、これらの操作盤が車椅子利用者向けであることを示すため、車椅子に乗った人を模した車椅子マーク１１が設けられている。
【００２５】
一般用かご内操作盤６、車椅子用かご内操作盤７、一般用乗場操作盤９及び車椅子用乗場操作盤１０とは、当該エレベーターの運転全般を制御する制御盤１２（制御手段）と通信可能に接続されている。
より具体的には、乗りかご１内に設置された一般用かご内操作盤６及び車椅子用かご内操作盤７は、乗りかご１に設置された各種機器と制御盤１２とを接続する昇降路内に垂下されたかご制御ケープル１３を介して制御盤１２と接続されており、これらの操作盤から制御盤１２へと操作盤に対する操作情報が送信されるとともに、制御盤１２からこれらの制御盤へと例えばボタンの点灯表示等の制御信号が送信される。
【００２６】
そして、乗場８の壁面に設置された一般用乗場操作盤９及び車椅子用乗場操作盤１０は、乗場８に設置された各種機器と制御盤１２とを接続する乗場制御ケーブル１４を介して制御盤１２と接続されており、乗りかご１内に設置された操作盤と同様、これらの操作盤から制御盤１２へと操作盤に対する操作情報が送信されるとともに、制御盤１２からこれらの制御盤へと例えばボタンの点灯表示等の制御信号が送信される。
また、制御盤１２は巻上機４とも接続されており、巻上機４は制御盤１２による制御の下、乗りかご１及び釣合い重り２の昇降を駆動する。
【００２７】
このようにして構成されたエレベーターの制御装置において、利用者が乗場８にある一般用乗場操作盤９又は車椅子用乗場操作盤１０の乗場呼びボタンを押下すると、この操作情報は制御盤１２へと送信され、この操作情報に基づいて、操作された乗場操作盤の設置された階床（操作階）への、押下された乗場呼びボタンに対応する方向の乗場呼びが登録される。
そして、この乗場呼び登録に応答すべく、制御盤１２の制御指令に基づいて駆動する巻上機４により、乗りかご１は前記操作階へと走行される。
【００２８】
乗りかご１が前記操作階に到着すると、かご戸５が戸開されて利用者は乗りかご１内に搭乗し、かご戸５は全開状態となってから所定時間経過後に戸閉される。
この際、かご戸５が全開中にかご内操作盤の戸閉ボタンが押下されると、前記所定時間経過前であってもかご戸５は戸閉される。また、乗場操作盤の当該乗場呼びと同方向の乗場呼びボタン又はかご内操作盤の戸開ボタンが押下中は戸開された状態が維持され、かご戸５が戸閉動作中に戸開ボタンが押下されると、戸閉動作が中止されてかご戸５は反転戸開される。
【００２９】
こうして乗りかご１に搭乗した利用者により、乗りかご１内の一般用かご内操作盤６の一般用かご内行先ボタン６ａ又は車椅子用かご内操作盤７の車椅子用かご内行先ボタン７ａを押下すると、この操作情報は制御盤１２へと送信され、この操作情報に基づいて、押下された行先ボタンに対応する階床を目的階とする行先呼びが登録される。
そして、この行先呼び登録に応答すべく、制御盤１２の制御指令に基づいて駆動する巻上機４により、乗りかご１は前記目的階へと走行される。
【００３０】
乗りかご１が前記目的階に到着すると、かご戸５は戸開され、全開状態となってから戸開継続時間の経過後に戸閉される。この戸開継続時間は、後述するように、各操作盤に対する操作状況等に応じて変化するものである。そして、こうしてかご戸５が戸開された状態であるうちに乗りかご１内の利用者は乗場８へと移動して降車する。
この際、かご戸５が全開中にかご内操作盤の戸閉ボタンが押下されると、前記戸開継続時間経過前であってもかご戸５は戸閉される。また、かご内操作盤の戸開ボタンが押下中は戸開された状態が維持され、かご戸５が戸閉動作中に戸開ボタンが押下されると、戸閉動作が中止されてかご戸５は反転戸開される。
【００３１】
なお、図１中の秤装置１６は、後述する実施の形態４で用いるものであり、この実施の形態１においては必ずしも設ける必要のないものである。
【００３２】
この実施の形態にあっては、エレベーターの制御装置は、図５に示す一連のフローに従って動作する。
すなわち、まず、ステップＳ１において、制御盤１２は、当該エレベーターが一般用乗場操作盤９又は車椅子用乗場操作盤１０の操作により登録された乗場呼びに応答したか否かについて判断を行う。この判断において、当該エレベーターは乗場呼びに応答していないと判断された場合には、ステップＳ６へと移行してフローは終了する。
一方、このステップＳ１の判断において、当該エレベーターが乗場呼びに応答したと判断された場合には、ステップＳ２へと進む。
【００３３】
ステップＳ２においては、制御盤１２は、各操作盤から送信される操作情報に基づいて、乗りかご１内に設置された車椅子用かご内操作盤７の車椅子用かご内行先ボタン７ａが押下（操作）されたか否かについて判断を行う。この判断において、車椅子用かご内行先ボタン７ａが押下されたとは判断されない、すなわち、車椅子用かご内行先ボタン７ａが押下されていないと判断された場合には、ステップＳ６へと移行してフローは終了する。
一方、このステップＳ２の判断において、車椅子用かご内行先ボタン７ａが押下されたと判断された場合には、次のステップＳ３へと進む。
【００３４】
ステップＳ３では、ステップ１で判断された当該エレベーターが応答した当該乗場呼び登録が、車椅子用乗場操作盤１０の操作によるものであるか否か、すなわち、車椅子用乗場操作盤１０の操作及び一般用乗場操作盤９の操作のいずれによるものであるかについての判断を行う。この判断において、当該乗場呼び登録が車椅子用乗場操作盤１０の操作によるものでない、すなわち、当該乗場呼び登録が一般用乗場操作盤９の操作によるものであると判断された場合には、ステップＳ４へと移る。
【００３５】
このステップＳ４では、先のステップＳ３において当該乗場呼び登録が一般用乗場操作盤９の操作によるものであると判断されており、よって、ステップＳ２における車椅子用かご内操作盤７の操作は一般利用者によるものであると推定される。
従って、制御盤１２は、ステップＳ２での判断に係る車椅子用かご内操作盤７の操作により登録された行先呼びの目的階（当該かご行先呼び登録階）に到着した際におけるかご戸５の前記戸開継続時間を、一般利用者向けであって通常の戸開継続時間である第１の戸開継続時間に設定を行い、その後ステップＳ６へと至り一連の動作フローは終了する。
そして、このステップＳ６の後、乗りかご１が当該かご行先呼び登録階に到着すると、かご戸５は戸開され、全開状態となってからステップＳ４で設定された戸開継続時間すなわち第１の戸開継続時間の経過後に戸閉されることになる。
【００３６】
一方、ステップＳ３の判断において、当該乗場呼び登録が車椅子用乗場操作盤１０の操作によるものであると判断された場合には、ステップＳ５へと移る。
このステップＳ５では、ステップＳ３において当該乗場呼び登録が車椅子用乗場操作盤１０の操作によるものであると判断されており、よって、ステップＳ２における車椅子用かご内操作盤７の操作は車椅子利用者によるものであると推定される。
【００３７】
従って、制御盤１２は、ステップＳ２での判断に係る車椅子用かご内操作盤７の操作により登録された行先呼びの目的階（当該かご行先呼び登録階）に到着した際におけるかご戸５の前記戸開継続時間を、車椅子利用者向けであって第１の戸開継続時間より長い戸開継続時間である第２の戸開継続時間に設定を行い、その後ステップＳ６へと至り一連の動作フローは終了する。
そして、このステップＳ６の後、乗りかご１が当該かご行先呼び登録階に到着すると、かご戸５は戸開され、全開状態となってからステップＳ５で設定された戸開継続時間すなわち第２の戸開継続時間の経過後に戸閉されることになる。
【００３８】
なお、以上のステップＳ１からステップＳ６までの動作フローは随時繰り返されて行われており、こうして、かご内操作盤の操作により行先呼び登録がなされる度に、目的階である行先呼び登録階ごとの戸開時の戸開継続時間が設定される。
【００３９】
以上のように構成されたエレベーターの制御装置においては、エレベーターの乗場に設けられ、操作することにより乗場呼びを登録する一般用乗場呼びボタン及び車椅子用乗場呼びボタンと、乗りかご内に設けられ、操作することによりかご行先呼びを登録する一般用かご内行先ボタン及び車椅子用かご内行先ボタンと、を有するエレベーターにおいて、車椅子用かご内行先ボタンが操作された場合であって、車椅子用乗場呼びボタンが操作されていないときは、車椅子用かご内行先ボタンの当該操作によるかご行先呼び登録階に到着した際の戸開継続時間を一般利用者向けであって通常の所定の第１の戸開継続時間に設定し、車椅子用乗場呼びボタンが操作されているときは、かご行先呼び登録階に到着した際の戸開継続時間を車椅子利用者向けであって第１の戸開継続時間より長い所定の第２の戸開継続時間に設定する制御手段（制御盤）、を備えたことにより、車椅子利用者に対する安全性を確保しつつ、一般利用者が車椅子用かご内操作盤を操作した際における快適性を向上させることができ、かつ、当該エレベーターの運転効率を向上させることができる。
【００４０】
実施の形態２．
図６は、この発明の実施の形態２に係るもので、エレベーターの制御装置の動作を示すフロー図である。
ここで説明する実施の形態２は、前述した実施の形態１の構成において、車椅子用乗場操作盤が操作されずに一般用乗場操作盤の操作による乗場呼びに応答した場合において、車椅子用かご内操作盤の行先ボタンが押下された際、押下された行先ボタンに対応する階床における戸開継続時間が既に一般利用者向けの第１の戸開継続時間に設定されている状態であるとき、換言すれば、一度車椅子用かご内操作盤の行先ボタンを押下した後、再度同じ行先ボタンを押下したとき（いわゆる「二度押し」をしたとき）には、戸開継続時間を車椅子利用者向けであって通常より長い第２の戸開継続時間に設定し直すようにしたものである。
【００４１】
すなわち、この実施の形態２においては、エレベーターの制御装置の構成は実施の形態１と同様であるが、動作フローは図６に示す一連のものに従っている。
この図６において、ステップＳ１１及びＳ１２は、実施の形態１の図５におけるステップＳ１及びＳ２と全く同様である。
また、ステップＳ１２から移行したステップＳ１３において行われる判断は、実施の形態１の図５におけるステップＳ３と同様であり、このステップＳ１３の判断において当該エレベーターが応答した当該乗場呼び登録が車椅子用乗場操作盤１０の操作によるものであると判断された場合に移行するステップＳ１４は、実施の形態１の図５におけるステップＳ５と同様である。つまり、ステップＳ１４においては、前記戸開継続時間が通常（第１の戸開継続時間）より長い第２の戸開継続時間に設定された後、ステップＳ１７に至り一連の動作フローは終了する。
【００４２】
そして、ステップＳ１３の判断において、ステップＳ１１で判断された当該エレベーターが応答した当該乗場呼び登録が車椅子用乗場操作盤１０の操作によるものでない、すなわち、当該乗場呼び登録が一般用乗場操作盤９の操作によるものであると判断された場合には、ステップＳ１５へと移る。
【００４３】
このステップＳ１５において、制御盤１２は、先のステップＳ１２での判断に係る車椅子用かご内操作盤７の操作により登録された行先呼びの目的階（当該かご行先呼び登録階）に到着した際におけるかご戸５の前記戸開継続時間が、既に一般利用者向けであって通常の戸開継続時間である第１の戸開継続時間に設定済みであるか否かについて判断を行う。
【００４４】
ここで、当該かご行先呼び登録階の前記戸開継続時間が既に第１の戸開継続時間に設定済みである状態とは、後述するステップＳ１６が既に一度実行されている状態であって、すなわち、一度押下された車椅子用かご内行先ボタン７ａと同じ車椅子用かご内行先ボタン７ａが、再度押下された状態である。
従って、このステップＳ１５においては、ある車椅子用かご内行先ボタン７ａについて、いわゆる「二度押し」がなされたか否かについて判断していることになる。
【００４５】
そして、このステップＳ１５の判断において、当該かご行先呼び登録階に到着した際の前記戸開継続時間が第１の戸開継続時間に設定済みでない、すなわち、ステップＳ１２において判断された車椅子用かご内操作盤７の車椅子用かご内行先ボタン７ａに対する押下（操作）は、一度目であって「二度押し」ではないと判断された場合には、ステップＳ１６へと移行する。
このステップＳ１６においては、先のステップＳ１３において当該乗場呼び登録が一般用乗場操作盤９の操作によるものであると判断されており、ステップＳ１２における車椅子用かご内操作盤７の操作は一般利用者によるものであると推定されることから、制御盤１２は、当該かご行先呼び登録階に到着した際の前記戸開継続時間を、一般利用者向けであって通常の戸開継続時間である第１の戸開継続時間に設定を行い、その後ステップＳ１７へと至り一連の動作フローは終了する。
【００４６】
一方、ステップＳ１５の判断において、当該かご行先呼び登録階に到着した際の前記戸開継続時間が既に第１の戸開継続時間に設定済みである、すなわち、ステップＳ１２において押下（操作）されたと判断された車椅子用かご内行先ボタン７ａに対して「二度押し」がなされたと判断された場合には、ステップＳ１４へと移行する。そして、ステップＳ１４において、前記戸開継続時間が通常（第１の戸開継続時間）より長い第２の戸開継続時間に設定された後、ステップＳ１７に至り一連の動作フローは終了する。
【００４７】
なお、以上のステップＳ１１からステップＳ１７までの動作フローは随時繰り返されて行われており、こうして、かご内操作盤の操作により行先呼び登録がなされる度に、目的階である行先呼び登録階ごとの戸開時の戸開継続時間が設定される点は実施の形態１と同様である。
従って、一度ある車椅子用かご内行先ボタン７ａが「二度押し」されて当該かご行先呼び登録階の前記戸開継続時間が第１の戸開継続時間から第２の戸開継続時間に切替わった後に、再度同じ車椅子用かご内行先ボタン７ａが押下されると、前記戸開継続時間は再び第１の戸開継続時間へと切替えられることになる。
【００４８】
また、ここでは、当該かご行先呼び登録階の前記戸開継続時間を、第１の戸開継続時間と第２の戸開継続時間とで切替えて設定し直すための条件を、同一の車椅子用かご内行先ボタン７ａを「二度押し」すること、としたが、この切替条件となる車椅子用かご内行先ボタン７ａへの操作は「二度押し」に限られず、所定時間以上押下するいわゆる「長押し」等、通常の押下操作と区別可能な所定の操作であればよい。
【００４９】
以上のように構成されたエレベーターの制御装置においては、実施の形態１と同様の効果を奏することができるのに加えて、制御手段（制御盤）は、車椅子用かご内行先ボタンが操作され、かつ、車椅子用乗場呼びボタンが操作されていない場合であって、車椅子用かご内行先ボタンの当該操作が所定の操作であるときは、かご行先呼び登録階に到着した際の戸開継続時間を第２の戸開継続時間に設定することにより、車椅子利用者が車椅子用乗場操作盤を操作せずに乗りかごに搭乗した場合であっても、簡便な操作により車椅子利用者向けの第２の戸開継続時間に設定することができる。
【００５０】
実施の形態３．
図７及び図８は、この発明の実施の形態３に係るもので、図７は車椅子用かご内操作盤の正面図、図８はエレベーターの制御装置の動作を示すフロー図である。
ここで説明する実施の形態３は、前述の実施の形態２の構成に加えて、車椅子用かご内操作盤の車椅子用かご内行先ボタン近傍に、車椅子呼び応答灯（車椅子呼び応答報知手段）を各車椅子用かご内行先ボタンのそれぞれに対応させて設け、これらの車椅子呼び応答灯の点灯状態によって、車椅子用かご内行先ボタンに対応する階床に到着した際の戸開継続時間が車椅子利用者向けの長い時間であるのかどうかを利用者に報知するようにしたものである。
【００５１】
すなわち、車椅子用かご内操作盤７に取付けられた各車椅子用かご内行先ボタン７ａのそれぞれの上方近傍には、車椅子呼び応答灯１５が各車椅子用かご内行先ボタン７ａのそれぞれに対応して設けられている。
ここでは、図７に示すように、各車椅子用かご内行先ボタン７ａは１階から３階までが下段となり４階から６階までが上段となる２列に配置されており、これらのボタン列に沿って各車椅子呼び応答灯１５も２列に配置されている。
【００５２】
そして、これらの車椅子呼び応答灯１５の列は、それぞれが略水平線状の意匠で連結されており、さらに、これら略水平線状の意匠は、それぞれが車椅子マーク１１に結び付けられて、これらの車椅子呼び応答灯１５は、対応する階床へのかご行先呼びが車椅子呼びであることを表示するものであることを利用者に示している。
ここでいう車椅子呼びとは、乗りかご１が当該かご行先呼び登録階に到着した時の前記戸開継続時間が車椅子利用者向けであって通常より長い継続時間である第２の戸開継続時間となるかご行先階呼びのことである。
なお、他の構成については実施の形態２と同様である。
【００５３】
この実施の形態にあっては、エレベーターの制御装置は、図８に示す一連のフローに従って動作する。この図８において、ステップＳ２１からＳ２６は、実施の形態２の図６におけるステップＳ１１からＳ１６と同様である。
【００５４】
そして、ステップＳ２４において、制御盤１２によって、当該かご行先呼び登録階に到着した際の前記戸開継続時間を、車椅子利用者向けであって第１の戸開継続時間より長い戸開継続時間である第２の戸開継続時間に設定した後は、ステップＳ２７へと移行する。
このステップＳ２７においては、制御盤１２は、先のステップＳ２２での判断に係る車椅子用かご内操作盤７の操作により登録された行先呼びの目的階（当該かご行先呼び登録階）に対応する車椅子用かご内行先ボタン７ａ、すなわち、押下された車椅子用かご内行先ボタン７ａのボタン灯を点灯させる。そして、同時に、この押下された車椅子用かご内行先ボタン７ａに対応する車椅子呼び応答灯１５、すなわち、当該かご行先呼び登録階に対応する車椅子呼び応答灯１５を点灯させ、その後ステップＳ２９へと至り一連の動作フローは終了する。
【００５５】
また、ステップＳ２６において、制御盤１２によって、当該かご行先呼び登録階に到着した際の前記戸開継続時間を、一般利用者向けであって通常の戸開継続時間である第１の戸開継続時間に設定した後は、ステップＳ２８へと移行する。
このステップＳ２８においては、制御盤１２は、先のステップＳ２２での判断に係る車椅子用かご内操作盤７の操作により登録された行先呼びの目的階（当該かご行先呼び登録階）に対応する車椅子用かご内行先ボタン７ａ、すなわち、押下された車椅子用かご内行先ボタン７ａのボタン灯のみを点灯させ、その後ステップＳ２９へと至り一連の動作フローは終了する。従って、この押下された車椅子用かご内行先ボタン７ａに対応する車椅子呼び応答灯１５、すなわち、当該かご行先呼び登録階に対応する車椅子呼び応答灯１５は消灯したままである。
【００５６】
ここで、以上のステップＳ２１からステップＳ２９までの動作フローは随時繰り返されて行われており、こうして、かご内操作盤の操作により行先呼び登録がなされる度に、目的階である行先呼び登録階ごとの戸開時の戸開継続時間が設定される点は実施の形態２と同様である。
なお、車椅子呼び応答報知手段は車椅子呼び応答灯１５に限らず、例えば、音声により車椅子呼びが登録されている階床を報知するアナウンス装置を乗りかご１内に設けるようにしてもよい。
【００５７】
以上のように構成されたエレベーターの制御装置においては、実施の形態２と同様の効果を奏することができるのに加えて、かご行先呼び登録階に到着した際の戸開継続時間が第２の戸開継続時間に設定されていることを利用者に報知する車椅子呼び応答報知手段を設けることにより、乗りかご内の利用者は、かご行先呼び登録階に到着した際の戸開継続時間が、一般利用者向けであって通常の第１の戸開継続時間であるのか、車椅子利用者向けであって通常より長い第２の戸開継続時間であるのかを容易に知ることが可能である。
【００５８】
実施の形態４．
図９は、この発明の実施の形態４に係るもので、エレベーターの制御装置の動作を示すフロー図である。
ここで説明する実施の形態４は、実施の形態１から３の構成に加えて、乗りかご内の負荷を検出するかご負荷検出手段をさらに設け、車椅子用かご内操作盤が操作され、かつ、戸開継続時間が車椅子利用者向けの第２の戸開継続時間に設定されていない場合に、このかご負荷検出手段により検出された乗りかご内の負荷に基づいて乗りかご内が混雑しているか否か判断して、乗りかご内が混雑しているときには戸開継続時間を通常より長くするようにしたものである。
【００５９】
すなわち、図１に示すように、乗りかご１の床下には、乗りかご１内の負荷を検出する秤装置１６からなるかご負荷検出手段が設けられており、このかご負荷検出手段による乗りかご１内の負荷検出結果は、かご制御ケープル１３を通じて制御盤１２へと送られる。
また、他の構成については、実施の形態１等と同様である。
【００６０】
この実施の形態にあっては、エレベーターの制御装置は、図９に示す一連のフローに従って動作する。なお、ここでは簡便のため、実施の形態１に加えてかご負荷検出手段を設けた場合について説明するが、実施の形態２又は３においてもほぼ同様にして実施することができる。
【００６１】
まず、ステップＳ３１において、制御盤１２は、当該エレベーターが一般用かご内操作盤６の一般用かご内行先ボタン６ａ又は車椅子用かご内操作盤７の車椅子用かご内行先ボタン７ａの操作により登録されたかご行先呼びに応答したか否かについて判断を行う。この判断において、当該エレベーターはかご行先呼びに応答していないと判断された場合には、ステップＳ３９へと移行してフローは終了する。
一方、ステップＳ３１において、当該エレベーターがかご行先呼びに応答したと判断された場合にはステップＳ３２へと進み、制御盤１２は、乗りかご１内に設置された車椅子用かご内操作盤７の車椅子用かご内行先ボタン７ａが押下されているか否かについて判断を行う。
【００６２】
この判断において、乗りかご１内に設置された車椅子用かご内操作盤７の車椅子用かご内行先ボタン７ａが押下されていないと判断された場合には、利用者は一般利用者であると推定される。従って、ステップＳ３６へと移行して、制御盤１２はかご戸５の開放時間タイマーを一般利用者向けであって通常の前記第１の戸開継続時間に設定する。
【００６３】
一方、ステップＳ３２の判断において、乗りかご１内に設置された車椅子用かご内操作盤７の車椅子用かご内行先ボタン７ａが押下されていると判断された場合には、ステップＳ３３へと移行して、制御盤１２は、ステップＳ３１での判断に係る当該かご行先呼び登録の目的階（当該かご行先呼び登録階）の前記戸開継続時間が、車椅子利用者向けであって通常より長い前記第２の戸開継続時間であるか否かについて判断を行う。なお、この前記第２の戸開継続時間は、実施の形態１の図５におけるステップＳ５が実行されることにより設定される。
このステップＳ３３の判断において、当該かご行先呼び登録階の前記戸開継続時間が前記第２の戸開継続時間であると判断された場合にはステップＳ３４へと移り、制御盤１２はかご戸５の前記開放時間タイマーを前記第２の戸開継続時間に設定する。
【００６４】
また、ステップＳ３３の判断において、当該かご行先呼び登録階の前記戸開継続時間が前記第２の戸開継続時間でないと判断された場合にはステップＳ３５へと移行する。
このステップＳ３５においては、制御盤１２は、前記かご負荷検出手段（秤装置１６）により検出された乗りかご１内の負荷に基づいて乗りかご１内が混雑しているか否か、すなわち、乗りかご１内の負荷が所定の閾値以上であるか否かについて判断を行う。この判断において、乗りかご１内が混雑している、すなわち、乗りかご１内の負荷が所定の閾値以上であると判断された場合には、ステップＳ３７へと移行して、制御盤１２はかご戸５の前記開放時間タイマーを一般利用者向けの混雑時の戸開継続時間である第３の戸開継続時間に設定する。この第３の戸開継続時間は前記第１の戸開継続時間より長い時間に定められる。
【００６５】
ステップＳ３４、Ｓ３６又はＳ３７で、前記開放時間タイマーを、前記第２の戸開継続時間、前記第１の戸開継続時間又は前記第３の戸開継続時間に設定した後は、ステップＳ３８へと移り、制御盤１２は、乗りかご１が当該かご行先呼び登録階に到着してかご戸５が戸開し全開状態となってから前記開放時間タイマーに設定された時間の経過後、かご戸５が戸閉するように制御を行う。
そして、ステップＳ３９へと至り、一連の動作フローは終了する。
【００６６】
以上のように構成されたエレベーターの制御装置においては、実施の形態１から３と同様の効果を奏することができるのに加えて、制御手段（制御盤）により、車椅子用かご内行先ボタンが操作され、かつ、かご行先呼び登録階に到着した際の戸開継続時間が第２の戸開継続時間に設定されていない場合であって、かご負荷検出手段により検出された乗りかご内の負荷に基づいて乗りかご内が混雑していると判断されるときは、かご行先呼び登録階に到着した際の戸開継続時間を第１の戸開継続時間より長い所定の第３の戸開継続時間に設定するよう制御することで、一般利用者が乗りかご内の混雑により降車に時間がかかる場合、戸開継続時間を長くすることにより降車時間を確保することが可能である。
【符号の説明】
【００６７】
１    乗りかご
２    釣合い重り
３    主ロープ
４    巻上機
５    かご戸
６    一般用かご内操作盤
６ａ  一般用かご内行先ボタン
６ｂ  一般用戸開ボタン
６ｃ  一般用戸閉ボタン
７    車椅子用かご内操作盤
７ａ  車椅子用かご内行先ボタン
７ｂ  車椅子用戸開ボタン
７ｃ  車椅子用戸閉ボタン
８    乗場
９    一般用乗場操作盤
９ａ  一般用上方向乗場呼びボタン
９ｂ  一般用下方向乗場呼びボタン
１０    車椅子用乗場操作盤
１０ａ  車椅子用上方向乗場呼びボタン
１０ｂ  車椅子用下方向乗場呼びボタン
１１    車椅子マーク
１２    制御盤
１３    かご制御ケープル
１４    乗場制御ケーブル
１５    車椅子呼び応答灯
１６    秤装置
【図１】
2010269875.tif 000003
【図２】
2010269875.tif 000004
【図３】
2010269875.tif 000005
【図４】
2010269875.tif 000006
【図５】
2010269875.tif 000007
【図６】
2010269875.tif 000008
【図７】
2010269875.tif 000009
【図８】
2010269875.tif 000010
【図９】
2010269875.tif 000011